(57)【特許請求の範囲】
【請求項１】
（ａ）熱転写ラベルロール（１１）から熱転写ラベル（３）を巻き解くことができる第１のワインダ（９）であって、前記熱転写ラベルが、熱ラベルウェブ（７）に剥離可能に貼付された熱ラベルを備える、第１のワインダと、
（ｂ）パスに沿って取り付けられた、ローラ（３２）を備えるヒートアイドラ（３３）であって、加熱表面（３７）に対する距離を調整するために前記ローラが前記パスに沿って移動可能であり、前記ローラが、巻き解かれた熱転写ラベルを巻いて、前記加熱表面に当たる前記熱転写ラベル（３）の熱接触長を画定し、前記熱接触長が、前記パスに沿って前記ローラの位置を変更することにより、最大接触長と、少なくとも１つの低減された接触長と、最小接触長と、の間で適合可能である、ヒートアイドラ（３３）と、
（ｃ）熱ラベルが付けられた容器を提供するために、前記剥離可能に貼付された熱ラベルを前記容器に適用することができる熱ラベルアプリケータ（３９）と、を備える、容器のラベル付けのための装置。
【請求項２】
前記パスが、前記加熱表面に対して実質的に垂直である、請求項１に記載の装置。
【請求項３】
前記パスが、前記加熱表面に対して約０．１ｃｍ〜約１００ｃｍの距離を含む、請求項１又は２に記載の装置。
【請求項４】
前記パスが、前記加熱表面に対して約１ｃｍ〜約１０ｃｍの距離を含む、請求項１〜３のいずれか一項に記載の装置。
【請求項５】
前記パスが、前記加熱表面に対して実質的に垂直であり、前記パスが、前記加熱表面に対して約１ｃｍ〜約３０ｃｍの距離を含む、請求項１〜４のいずれか一項に記載の装置。
【請求項６】
前記ヒートアイドラがサーボリニアモータを更に備え、前記サーボリニアモータが前記パスに沿って前記ローラを移動することができる、請求項１〜５のいずれか一項に記載の装置。
【請求項７】
前記装置が第１のニップ（２７）を更に備え、前記第１のニップが、第２のローラ（２９）と第２のサーボモータ駆動ローラ（３１）とを備え、前記第２のローラ（２９）と前記第２のサーボモータ駆動ローラ（３１）との間に前記熱転写ラベルを挟むことができ、前記熱転写ラベルが前記第１のワインダから受け取られる、請求項１〜６のいずれか一項に記載の装置。
【請求項８】
前記装置が第２のニップ（５１）を更に備え、前記第２のニップが、前記熱ラベルを容器に適用する前記熱ラベルアプリケータから受け取られる前記熱ラベルウェブを挟むことができる第５のローラ（５３）と第３のサーボモータ駆動ローラ（５５）とを備える、請求項１〜７のいずれか一項に記載の装置。
【請求項９】
前記装置が、前記熱ラベルを容器に適用する前記熱ラベルアプリケータからの前記熱ラベルを冷却することができる冷却器（４７）を更に備える、請求項１〜８のいずれか一項に記載の装置。
【請求項１０】
（ａ）熱転写ラベルロール（１１）から熱転写ラベル（３）を巻き解く工程において、前記熱転写ラベルが、熱転写ウェブに剥離可能に貼付された熱ラベルを備える、巻き解く工程と、
（ｂ）巻き解かれた熱転写ラベルを、パスに沿って取り付けられたヒートアイドラ（３３）のローラに沿って巻く工程と、
（ｃ）前記ヒートアイドラのローラから巻かれた熱転写ラベルを、加熱板（３５）の加熱表面（３７）に沿って加熱する工程であって、前記加熱表面に沿って通る前記熱転写ラベルの距離が熱接触長を含む、加熱する工程と、
（ｄ）前記パスに沿って前記ヒートアイドラの前記ローラを移動して前記熱接触長を変更する工程であって、当該熱接触長は、最大接触長と、少なくとも１つの低減された接触長と、最小接触長と、の間で適合可能であるという工程と、
（ｅ）前記剥離可能に貼付された熱ラベルを容器に適用して、ラベル付けされた容器を提供する工程と、を含む、容器にラベル付けする方法。
【請求項１１】
前記熱接触長が、約０ｍｍ〜約１，０００ｍｍである、請求項１０に記載の方法。
【請求項１２】
前記熱接触長を変更するために前記パスに沿って前記ヒートアイドラの前記ローラを移動する工程が、約０．０１秒〜約５秒で完了する、請求項１０又は１１に記載の方法。
【請求項１３】
前記ヒートアイドラの前記ローラが前記パスに沿って移動する距離が約１ｃｍ〜約１０ｃｍを含み、前記熱接触長が約０ｍｍ〜約３，０００ｍｍであり、前記熱接触長を変更するために前記パスに沿って前記ヒートアイドラの前記ローラを移動する工程が、約０．１秒〜約３秒で完了する、請求項１０〜１２のいずれか一項に記載の方法。
【請求項１４】
前記第１のワインダから巻き解かれた前記熱転写ラベルは、内部に真空を生成可能な容器である第１の真空ボックス（１９）を通過され、
当該方法は、前記第１の真空ボックス（１９）内の前記熱転写ラベルを真空にする工程を更に含む、請求項１０〜１３のいずれか一項に記載の方法。
【請求項１５】
前記容器のラベル付けの工程から受け取られた前記熱転写ウェブは、内部に真空を生成可能な容器である第２の真空ボックス（５７）を通過され、
当該方法は、前記第２の真空ボックス（５７）内の前記熱転写ウェブを真空にする工程を更に含む、請求項１４に記載の方法。
【発明の詳細な説明】
【技術分野】
【０００１】
本発明は容器にラベル付けをするための装置及び該装置を使用する方法を目的とする。
【背景技術】
【０００２】
瓶のような容器上に付されるラベルの例としては、熱転写ラベル（熱活性ウェブとしても知られる）及び感圧性ラベル（自己粘着性ラベルとしても知られる）の２つが挙げられる。多くの機械で、熱転写ラベルを適用できる速度は毎分わずか約１００瓶〜約１５０瓶である。これらの熱転写ラベル機の多くは、単一の速度又は狭い速度範囲でのみ運転可能であるか、容器の外形によって定められる制限を有する。多くの機械で、適用可能なラベルは１つのタイプのみ、すなわち熱転写ラベルか感圧性ラベルであって、両方のタイプのラベルではない。また、より広範な容器への感圧性ラベルの適用及び／又はラベル外形を許容するために、感圧性ラベルプロセスを改善する必要もある。
【０００３】
米国特許第５，２４８，３５５号、同第５，２５０，１２９号、同第５，３０６，３７５号、及び同第６，０８３，３４２号を参照のこと。
【先行技術文献】
【特許文献】
【０００４】
【特許文献１】米国特許第５，２４８，３５５号
【特許文献２】米国特許第５，２５０，１２９号
【特許文献３】米国特許第５，３０６，３７５号
【特許文献４】米国特許第６，０８３，３４２号
【発明の概要】
【課題を解決するための手段】
【０００５】
本発明は、本発明の一態様において熱転写ラベルロールから熱転写ラベルを巻き解くことができる第１のワインダを備える容器ラベル付け装置を提供することによって、これら及びその他の必要に対処することを試みる。この熱転写ラベルは、剥離可能に熱ラベルウェブに貼付される熱ラベルを備える。この装置はまた、パスに沿って取り付けられた、ローラを備えるヒートアイドラを備え、このローラは加熱表面に対する距離を調整するためにパスに沿って移動可能である。ローラは、巻き解かれた熱転写ラベルを巻いて、加熱表面に対する熱転写ラベルの熱接触長を画定する。加熱接触長は、パスに沿ったローラの位置に依存する。また、この装置は、容器に熱ラベルを適用することができる、加熱表面で加熱される熱ラベルアプリケータを備え、ラベル付きの容器及び熱ラベルウェブを提供する。
【０００６】
本発明の別の態様は容器のラベル付けの方法を提供し、この方法は以下の工程を備える。熱転写ラベルを熱転写ラベルロールから巻き解く工程。巻き解かれた熱転写ラベルを、パスに沿って取り付けられたヒートアイドラのローラに沿って巻く工程。第３の低慣性ローラから巻かれた熱転写ラベルを加熱板の加熱表面に沿って加熱する工程であって、熱転写ラベルが加熱表面に沿って通る距離が熱接触長を含む、加熱する工程。パスに沿ってヒートアイドラのローラを移動して熱接触長を変更する工程。この方法はまた、熱転写ラベルから熱ラベルを容器に適用して、ラベル付けされた容器及び熱転写ウェブを提供することも含む。
【０００７】
本発明の第３の態様は、ラベル付けされた容器を備える消費者製品を提供することであり、このラベル付けされた容器は前述の方法又は装置に従って作製される。
【図面の簡単な説明】
【０００８】
【図１】本発明の装置の斜視図。
【図２】加熱板の加熱表面から熱転写ラベルへの伝熱を最大限にする位置にある、図１の装置のヒートアイドラの斜視図。
【図３】加熱板の加熱表面から熱転写ラベルへの伝熱を最低限にする位置にある、図１の装置のヒートアイドラの斜視図。
【発明を実施するための形態】
【０００９】
本発明の異なる態様は、熱転写ラベル及び／又は感圧性ラベルを容器に適用するための装置、並びに該装置を使用する方法を含むが、これらに限定されない。
【００１０】
本発明の一態様で、装置は、１つのウェブパス方向に熱転写ラベルを適用することができ、概して、同じ構成要素をわずかな修正とともに使用すること（例えば、冷却器の有無、アプリケーションノズル及びワイパーの有無、加熱板の有無、ラベル重ね合わせセンサの有無、及びこれらの組み合わせ）によって、感圧性ラベルを反対方向に適用すること、及びその逆にすることが可能である。装置は、第１のワインダ、第１のアイドラ、第１の真空ボックス、第１のニップ、ヒートアイドラ、加熱板、熱ラベルアプリケータ、第３のアイドラ（すなわち「冷却アイドラ」）、ウェブ冷却器、第２のニップ、第２の真空ボックス、第４のアイドラ、第２のワインダ、及びこれらの組み合わせの１つ以上（又はこれらの組み合わせ）を備えることができる。この装置は２つの異なる方向で（どのタイプのラベルが使用されるかに依存する）使用することができるので、この装置の特定の構成要素は、２つの異なる機能を果たすことができるものと理解されたい。例えば、ワインダは、１つの方向ではラベルを巻き解くために機能することができ、またその反対方向ではラベルウェブを巻き戻す役割を果たすことができる。ウェブパス方向によっては、いくつかの構成要素を取り除く又は加えることができる（例えば、圧力ラベルが適用されている場合はウェブ冷却器）。
【００１１】
熱転写ラベル工程及び圧力転写ラベル工程
図１を参照すると、本発明の一態様は、熱転写ラベル（３）を容器（図示せず）に適用するための装置（１）を提供する。本発明の別の態様は、圧力ラベル（図示せず）を容器に適用する装置（１）を提供する。装置（１）は、１つの方向で熱ラベルを適用するように構成されてもよく、もう１つの方向で圧力ラベルを適用するように構成されてもよい。本明細書で用語「容器」は、最も広範には、広範なサイズを含む任意の瓶、容器、箱などを含むものとして使用されている。容器は、典型的には、プラスチック、紙、又はこれらの組み合わせを備える。一実施形態で、容器は消費者製品（例えば、洗濯洗剤又は柔軟仕上げ剤）を包含することができる。例として、容器は、１００ｍＬ〜約１０リットル、あるいは２００ｍＬ〜約５リットルの消費者製品を保持することができる。消費者製品は、液体、固体、準液体、準固体、顆粒、準顆粒、又はこれらの組み合わせであってよい。ラベル付けプロセスを通って運ばれるとき、容器は典型的には空である、すなわち容器には消費者製品は含まれていない。
【００１２】
第１のワインダ
第１のワインダ（９）は、熱転写ラベル（３）を巻き解く。第１のワインダは、中央駆動式でも表面駆動式でもよい。ワインダ（９）を使用して、圧力ラベルウェブ（図示せず）を巻き付けることもできる。
【００１３】
熱転写ラベル（３）は、典型的には、熱ラベルウェブ（７）上に印刷される熱ラベル（図示せず）を含む。熱ラベルは別個になっていてもよく、別個になっていなくてもよい。最終的に容器（図示せず）上に付されるのは熱転写ラベル（３）の熱ラベルである。熱ラベルウェブ（７）は、典型的には、ラベル付けプロセスの終わりに（例えば、第２のワインダ（７５）によって）巻き取られる。熱転写ラベル（３）は市販されており、典型的には、熱転写ラベルロール（１１）にて提供される。熱転写ラベルの市販品サプライヤの非限定的な例としては、Ｇｒａｐｈｉｃ  Ｐａｃｋａｇｉｎｇ  Ｉｎｔｅｒｎａｔｉｏｎａｌ，Ｉｎｃ．（Ｃｉｎｃｉｎｎａｔｉ，ＯＨ）及びＭｕｌｔｉ−Ｃｏｌｏｒ  Ｃｏｒｐｏｒａｔｉｏｎ（Ｓｈａｒｏｎｖｉｌｌｅ，ＯＨ）が挙げられる。
【００１４】
圧力転写ラベルは、典型的には、圧力ラベルウェブ上の圧力ラベル（図示せず）を備える。圧力ラベルは別個になっていてもよく、別個になっていなくてもよい。容器に最終的に付されるのは、圧力転写ラベルの圧力ラベルである。圧力転写ラベルウェブは、典型的には、ラベル付けプロセスの終わりに（例えば、第１のワインダ（９）によって）巻き取られる。圧力転写ラベルは市販されており、典型的には、圧力転写ラベルロール（１０）にて提供される。
【００１５】
第１のワインダ（９）は、熱転写ラベルロール（１１）が機能的に装着された第１のサーボモータ駆動スピンドル（１３）を備える。第１のワインダ（９）はまた、第１のサーボモータ駆動スピンドル（１３）のスピンドルに動作可能に接続された第１のサーボモータ（図示せず）もまた備えることができ、第１のサーボモータは、回転トルク及び／又は回転速度を第１のサーボモータ駆動スピンドル（１３）のスピンドルにもたらすことができる。第１のサーボモータは、熱転写ラベル（３）がそのロール（１１）から巻き解かれる速度を制御するために張力を適用し、それにより、熱転写ラベル（３）が、装置（１）／ラベル付けプロセスへと下流に供給される速度を制御する。当然、本発明の他の実施形態では、ラベル付けプロセスにおいて張力を他の下流の点から適用してもよい。
【００１６】
また、とりわけラベル付けプロセスの速度（及び方向）を制御するために、（第１のサーボモータ駆動スピンドル（１３）の）第１のサーボモータを、装置（１）の構成要素に沿った様々な点からのデータを座標に表す中央プログラムロジックコントローラ（「ＰＬＣ」）（図示せず）にリンクしてもよい。他の実施形態では、一定速度の表面ドライブを使用してもよい。
【００１７】
第１のサーボモータの速度及び／又はトルクを調整することによって、ラベル付けプロセス中に減少する取り付けられた熱転写ラベルロール（１１）の直径を計算に入れる必要がある場合がある。ＰＬＣを使用して、この速度及び／又はトルクを調整することができる。
【００１８】
ＰＬＣハードウェアは、Ｒｏｃｋｗｅｌｌ  Ａｕｔｏｍａｔｉｏｎ（Ｍｉｌｗａｕｋｅｅ，ＷＩ）から入手することができる。関係するハードウェア製品としては、電源（１７５６−ＰＢ７２）、プロセッサ（１７５６−Ｌ６１／Ｂ）、イーサーネットブリッジ（１７５６−ＥＮＢＴ）、ＳＥＲＣＯＳモーションモジュール（１７５６−Ｍ０８ＳＥ）、デジタル入力モジュール（１７５６−ＩＢ１６）、デジタル出力モジュール（１７５６−ＯＢ１６Ｅ）、及びアナログ入力モジュール（１７５６−ＩＦ８）を含む１７５６ＣｏｎｔｒｏｌＬｏｇｉｘ  ＰＬＣが挙げられる。
【００１９】
ＰＬＣソフトウェアもまた、Ｒｏｃｋｗｅｌｌ  Ａｕｔｏｍａｔｉｏｎから入手することができる。関係するソフトウェア製品としては、ＲＳＬｏｇｉｘ  ５０００（ｖ  １６．０３．００）、ＦａｃｔｏｒｙＴａｌｋ  Ｖｉｅｗ  Ｓｔｕｄｉｏ  ＭＥ（ｖ  ５．００．００）、ＦａｃｔｏｒｙＴａｌｋ  Ｖｉｅｗ  ＭＥ  Ｓｔａｔｉｏｎ、ＲＳＬｉｎｘ  Ｃｌａｓｓｉｃ（ｖ  ２．５２．００．１７）が挙げられる。
【００２０】
ドライブ情報すなわち装置の選択されたモータの電気的制御もまたＲｏｃｋｗｅｌｌ  Ａｕｔｏｍａｔｉｏｎから入手することができる。関係する製品としては、一体式軸モジュール（２０９４−ＢＣ０７−Ｍ０５−Ｓ）及び軸モジュール（２０９４−ＢＭ０２−Ｓ）を含むＫｉｎｅｔｉｘ  ６０００多軸サーボドライブが挙げられる。
【００２１】
サーボモータの非限定的な例としては、ＡｌｐｈａインラインＳＰ０７５ギヤボックスと連結されたＡｌｌｅｎ  Ｂｒａｄｌｅｙ  ＭＰＬ  ３３０サーボモータが挙げられる。
【００２２】
第１のアイドラ
装置（１）は、好ましくはローラを、更に好ましくは第１の低慣性ローラ（１７）を備える第１のアイドラ（１５）を備えることができる。第１のアイドラ（１５）は、巻きが解かれて第１の真空ボックス（１９）に入る熱転写ラベル（３）を案内する。装着された熱転写ラベルロール（１１）の直径が減少するにつれて、熱転写ラベル（３）が第１のワインダ（９）を出る角度が変化する。第１のアイドラ（１５）は、第１の真空ボックス（１９）に入る熱転写ラベル（３）の一定の供給角度（例えば、約１〜２度）をもたらす。
【００２３】
第１の低慣性ローラ（１７）はアクセル（図示せず）に定着されたカーボンファイバハブを備え、ハブはアクセルの周囲を放射状に回転することができ、アクセルは装置（１）の上面（２）に対して垂直である。カーボンファイバハブは、カーボンファイバシェル（図示せず）の内部に保持されているオープンレースの玉軸受（図示せず）上でアクセルの周囲を回転する。そのような軸受及びシェルはそれぞれ、ＭｃＭａｓｔｅｒ  Ｃａｒｒ  ６１００（Ａｔｌａｎｔａ，ＧＡ）から入手できる。
【００２４】
一実施形態では、第１の低慣性ローラ（１７）は、好ましくは第１のアイドラ（１５）の慣性を低減する材料（例えばカーボンファイバ）で実質的に構成された全体直径約３．８ｃｍのローラを備える。理論に束縛されるものではないが、低慣性ローラは、典型的には、熱転写ラベルがラベル付けプロセス中に突然停止及び始動したときに、より高い慣性ローラよりも優れた性能を提供する。別の実施形態では、第１の低慣性ローラの高さ（すなわち装置（２）の上面に垂直である）は、装置（１）の上面（２）から測定されたときに約１８センチメートル（ｃｍ）である。市販により入手可能な低慣性ローラの非限定的な例としては、Ｄｏｕｂｌｅ  Ｅ  Ｃｏｍｐａｎｙ，ＬＬＣ（Ｗｅｓｔ  Ｂｒｉｄｇｅｗａｔｅｒ，ＭＡ）のものが挙げられる。本発明のローラの高さは、熱転写ラベル（３）又は圧力転写ラベルの幅に少なくとも部分的に依存する。
【００２５】
本明細書を通して全体に用語「低慣性ローラ」が使用されているが、当業者は本発明が「低慣性」のローラに限定されるのではなく低慣性のローラが好ましいということを理解するであろう。
【００２６】
第１の真空ボックス
装置（１）は、そこに包含される、第１のアイドラ（１５）（又は他のそのような上流構成要素）から受け取られる熱転写ラベル（３）を真空にする第１の真空ボックス（１９）を備える。あるいは、真空ボックス（１９）は、上流の圧力ラベル付けプロセスから受け取られた圧力ラベルウェブを真空にする。
【００２７】
概して（及び限定せずに）、「真空ボックス」（１９、５７）は６面の矩形の箱（図１に示されるような）に限定されず、むしろ、連続した熱転写ラベル（３）又は圧力転写ラベルの少なくとも一部分と、容器内に包含されたラベル（３）の少なくとも一部分に適用され得る真空と、を包含することができる任意の容器である。一実施形態では、真空ボックス（１９、５７）は菱形六面形、球形、錐形、又は円筒形などであってもよい。ラベル（３）は、容器の開いた側面又はスロット、穴などを通って容器内に出入りすることができる。真空は、容器の開いた側面又はスロット、穴などを通して真空を生成することによって容器内に生成され得る。
【００２８】
一実施形態では、真空ボックス（１９、５７）は矩形六面体であり、６つの面の５つに壁を有し、連続する熱転写ラベル（３）（又は熱ラベルウェブ（７））又は圧力転写ラベル（又は圧力ラベルウェブ）の少なくとも一部分は（６つの面のうちの）開いた１つの面を通って入る／出る（すなわち、１つの面は壁を有さず、したがって真空ボックス（１９、５７）の内部を露出している）。真空ホース（モータ駆動の真空ポンプに取り付けられて真空、好ましくは一定の真空を提供する）は、６面の真空ボックスの別の側面（好ましくはラベル（３）又はウェブ（７）が真空ボックス（１９、５７）に入る／出る側面と対向する側面）に取り付けられて、真空圧を生成する。真空ボックスの５つの壁は、ＰＬＥＸＩＧＬＡＳ又は透明プラスチックで作製することができる。真空ボックス（１９、５７）内の典型的な真空範囲は、水の約５〜約１５ｃｍ（約２〜６インチ）、あるいは約０．５ｋＰａ〜約１．５ｋＰａである。
【００２９】
図１を参照すると、ラベル付けプロセスにおいて第１の真空ボックス（１９）の下流の熱転写ラベルウェブ（７）は、動的運動（例えば、容器をラベルに適用する及び／又は熱転写ラベルをインデックスする熱ラベルアプリケータ（３９）の線形振動）にさらされる。第１の真空ボックス（１９）は、下流構成要素／プロセスのこの運動を上流の巻きを解く工程から切り離す。換言すると、第１の真空ボックスは、巻きを解くプロセスをインデックスするのではなく一定にするのを可能にする。巻き解き工程がインデックスされると、取り付けられた熱転写ラベルロール（１１）が、高い慣性極モーメントを有する（例えば、大きいロールが与えられた）ときに問題を呈することになる。「インデックスされた巻き解き工程」は、ラベル（３）が前進してから停止し、次いで後方に移動し、次いで再び前進すること、又はラベル（３）が前進してから停止し、次いで再び前進すること、又はこれらの組み合わせを意味する。
【００３０】
理論に束縛されるものではないが、本明細書に記述した真空ボックス（１９、５７）を１つ、２つ、又はそれ以上使用することは、当業者の多くが記述しているより高いラベル付け速度を可能にする、及び／又はラベル付けプロセスの速度を変更する（例えば、始動する、停止する、増加する、低減する）ことを可能にする、と考えられる。理論に束縛されるものではないが、概して真空ボックス（１９、５７）は、高速ラベル付けを特徴とする慣性極モーメントを下げることによってラベル付けの動的運動の加速／減速の間の応力を低減する。
【００３１】
本発明の真空ボックス（１９、５７）はそれぞれ、熱転写ラベル（３）又はウェブ（７）を懸垂構成にて包含するために真空手段（１つ以上の真空ボックス内部を真空にする１つ以上の真空）を備えることができる（この懸垂の「底」は、典型的には、真空手段への真空開口部（２０、６９）に最も近い）。用語「懸垂構成」は、ラベル（３）又はウェブ（７、６）が真空開口部（２０、６９）の方へ向けて真空吸引される（及びその真空手段によって提供される真空の）結果としてラベル（３）又はウェブ（７、６）が広くはループ、花綱、曲線などの形になることを意味する。好ましい実施形態で、真空ボックス（１９、５７）の真空開口部（２０、６９）は（図１に図示したように）ラベル（３）又はウェブ（７、６）が真空ボックス（１９、５７）に入る／出る側面に対向する。ラベル（３）又はウェブ（７、６）が真空ボックス（１９、５７）に入る／出る側面の平面区域は、典型的には、真空開口部（２０、６９）の区域よりはるかに大きく、それぞれ約３：１、４：１、５：１、６：１、７：１、８：１などの比率を有する。
【００３２】
第１の真空ボックス（１９）は、一端が開かれた容器又は箱を形成するように５つの壁を備えることができる。第１の真空ボックス（１９）は、第１の後壁（２１）と、第１の側壁（２３）と、第２の側壁（２５）とを備えることができ、第１及び第２の側壁（２３、２５）は互いにほぼ平行であり、第１及び第２の側壁（２３、２５）は第１の後壁（２１）に対してほぼ垂直である。第１の真空ボックス（１９）の第１の後壁（２１）は、真空モータによって真空が生成されて熱転写ラベル（３）を第１の後壁（２１）の方へ吸引する真空ホースが取り付けられる（図示せず）第１の真空開口部（２０）を備えることができる。真空モータの非限定的な例としては、Ｇａｓｔ  Ｍａｎｕｆａｃｔｕｒｉｎｇ（Ｂｅｎｔｏｎ  Ｈａｒｂｏｒ，ＭＩ）の再生型ブロワモデルＲ２が挙げられる。
【００３３】
第１の後壁（２１）の長さ（すなわち最長寸法）は、約２６ｃｍである。第２の側壁（２３、２５）の長さ（すなわち最長寸法）は、約６２ｃｍである。１の後壁（２１）、第１の側壁（２３）、及び第２の側壁（２５）の幅は、それぞれ約１１．５ｃｍ、１１．５ｃｍ、１１．５ｃｍである。当然、この寸法はラベル（３）／ウェブ（７）の幅（及びラベル／ウェブを真空ボックス（１９、５７）内に包含する必要性及び真空手段が生成する真空を最大限にする必要性）に依存することになる。
【００３４】
第１の上壁（２２）及び第１の底壁（２４）は、第１の真空ボックス（１９）内にラベル（３）／ウェブ（７）を包含する。第１の上壁（２２）及び第１の底壁（２４）の長さ（すなわち縦寸法）は６２ｃｍであり、この壁の幅は２５ｃｍである。第１及び第２の真空ボックス（１９、５７）の内部に包含される体積は、約１８，５００ｃｍ３である。一実施形態では、第１の真空ボックス（１９）又は第２の真空ボックス（５７）の内部に包含される体積は、約１０，０００ｃｍ３〜約３０，０００ｃｍ３、あるいは約５，０００ｃｍ３〜約５０，０００ｃｍ３である。
【００３５】
当業者は、真空ボックス（すなわち第１の真空ボックス（１９）及び第２の真空ボックス（５７））内のラベル（３）／ウェブ（７）の張力を制御する方法は、少なくとも２つあることを理解するであろう。すなわち、（ｉ）真空を調整すること（すなわち、水のｃｍ（インチ）で測定される真空を増加又は低減すること）、及び／又は（ｉｉ）後壁（２１）の長さ（すなわち最長の寸法）を増すことによってラベル（３）／ウェブ（７）が真空ボックス（１９、５７）内部に作り出される「ループ」を大きくし、真空に曝露されるラベル（３）／ウェブ（７）の表面積を増すことである。当業者は、これらの変数を容易に調整して動作条件を最大限にするであろう。
【００３６】
また、当業者は、容器ラベル付けプロセスの間、装置（１）の運転中にラベル（３）／ウェブ（７）が第１の真空ボックス（１９）の第１の側壁（２３）及び第２の側壁（２５）とは接触するが、第１の真空ボックス（１９）の第１の後壁（２１）とは好ましくは接触しないことを理解するであろう。このことは、第２の真空ボックス（５７）についても同じである。
【００３７】
一実施形態では、超音波センサ（図示せず）（例えば、Ｋｅｙａｎｃｅ（Ｃｉｎｃｉｎｎａｔｉ，ＯＨ）のＦＷ  Ｓｅｒｉｅｓ）又は他のそのような装置を使用して、第１の後壁（２１）又は第２の後壁（５９）に対するラベル（３）／ウェブ（７）の距離を測定及び報告する。換言すると、超音波センサは、真空ボックス（１９、５７）内に包含されているラベル（３）／ウェブ（７）の「懸垂の深さ」を動的に測定し、このデータをＰＬＣに提供することができ、ＰＬＣはこれを受けて例えば第１のサーボモータ駆動スピンドル（１３）又は第４のサーボモータ駆動スピンドル（７９）のサーボモータ（及び装置（１）の他の点）を調整／コーディネートしてループの最適な深さを維持することができる。装置（１）の様々な構成要素間のコーディネーション及びそれに応じた調整のために、超音波センサ及び／又は真空もまたそれぞれＰＬＣと接続することができる。一実施形態では、ラベル付け動作中、後壁（２１、５９）の表面に向かって面するラベル（３）／ウェブ（７）の表面からラベル（３）／ウェブ（７）に面する後壁の表面までの測定最短距離は、約１ｃｍ〜４０ｃｍ、あるいは３ｃｍ〜約３０ｃｍである。更に別の実施形態では、真空ボックス（１９、５７）内部に包含されたラベル（３）／ウェブ（７）の少なくとも一部分は、画定された長さを有する（ラベル付け動作中）。この長さは、約５０ｃｍ〜約２５０ｃｍ、あるいは約１００ｃｍ〜約２００ｃｍを含むことができる。
【００３８】
一実施形態では、第１の真空ボックス（１９）の第１及び第２の側壁（２３、２５）との熱転写ラベル（３）の接触を最低限にするために、第１の真空ボックス（１９）への熱転写ラベル（３）の進入及び退出は（例えば、第１のアイドラ（１５）及び第１のニップ（２７）の設置によって）調整される。そのような実施形態では、第１の真空ボックス（１９）における熱転写ラベル（３）に対する摩擦は、理想的には最小に抑えられる。
【００３９】
第１のニップ
装置（１）は、間に熱転写ラベル（３）を伴う（好ましくは低慣性ローラである）第２のローラ（２９）と第２のサーボモータ駆動ローラ（３１）とを有する第１のニップ（２７）を備え、このニップはそれ自体から下流に熱転写ラベル（３）を引っ張る。これら２つのローラ（２９、３１）は、間にラベル（３）／ウェブを「挟む」。
【００４０】
第２のローラ（２９）は、前述の第１のローラ（１７）と類似している。
【００４１】
第２のサーボモータ駆動ローラ（３１）のサーボモータ（図示せず）は、第２のサーボもまた同様にＰＬＣ（図示せず）に連結されるということにおいて前述の第１のサーボモータ駆動スピンドル（１３）と類似している。ＰＬＣを使用して第２のサーボモータの速度及び／又はトルクを調整することができる。
【００４２】
しかし、第２のサーボモータ駆動ローラ（３１）は、ポリウレタンで外側がコーティングされたハブを備える。ポリウレタンは、ショアＡ硬度４０で厚さ０．３１ｃｍ（１／８インチ）の白色ウレタンを含むことができる。
【００４３】
熱転写ラベル（３）（又はウェブ）は、第１のニップ（２７）の第２のローラ（２９）と第２のサーボモータ駆動ローラ（３１）との間を通り抜ける。第２のローラ（２９）と第１のサーボモータ駆動ローラ（３１）は、熱転写ラベル（３）を間に「挟む」。エアシリンダ（図示せず）は、第２のローラ（２９）を第１のサーボモータ駆動ローラ（３１）に押し当ててニップ圧を提供する。第２のサーボ駆動ローラ（３１）は固定位置にある。そのようなエアシリンダの非限定的な例としては、ＳＭＣ  Ｐｎｅｕｍａｔｉｃｓ（Ｉｎｄｉａｎａｐｏｌｉｓ，Ｉｎｄｉａｎａ）のＮＣ（Ｄ）Ｑ２、Ｃｏｍｐａｃｔ  Ｃｙｌｉｎｄｅｒ、Ｄｏｕｂｌｅ  Ａｃｔｉｎｇ、Ｓｉｎｇｌｅ  Ｒｏｄが挙げられる。エアシリンダは、約１３８ｋＰａ〜約２４１ｋＰａ（２０ＰＳＩ〜約３５ＰＳＩ）（ポンド／平方インチ）か、あるいは約１００ｋＰａ〜約２７５ｋＰａ、あるいは約１２５ｋＰａ〜約２５０ｋＰａのニップ圧を提供することができる。一実施形態では、ニップの長さ当たりの圧力は、３５ｇ／ｍｍ〜約７５ｇ／ｍｍ、あるいは約４０ｇ／ｍｍ〜約７０ｇ／ｍｍ、あるいは約４５ｇ／ｍｍ〜約６５ｇ／ｍｍ、あるいは約５０ｇ／ｍｍ〜約６０ｇ／ｍｍ、あるいはこれらの組み合わせである。
【００４４】
第１のニップ（２７）の第２のサーボモータは（第１のサーボモータと異なり）ＰＬＣによって「前方に」動作される、すなわち、ラベル付けプロセスにおいて熱転写ラベル（３）を前方又は上流へも後方へも動かす。理論に束縛されるものではないが、後方（すなわち上流）に動作する第２のサーボモータを有することは、第１のニップ（２７）から下流の熱転写ラベル（３）に張力を提供する。
【００４５】
熱転写ラベルプロセスのために装置（１）で決定される電子カムプロファイルは３つある。当然、本発明をこれら３つに限定する必要はない。ＰＬＣはこれらのカムプロファイルを調整する。３つのうちの第１のカムプロファイルは、第１のニップ（２７）で決定される。カムプロファイルは、典型的には、ラベル付けされる容器の半径、容器のピッチ、ラベル付けプロセスに容器を運んで出入りさせる製造ラインの速度、容器の曲率、ラベル取り付け角度、ラベル寸法、ラベルピッチなど及びこれらの組み合わせのようなパラメータを計算に組み込んで決定される。また、３つの電子カムプロファイルのいずれもが、他の２つの電子カムプロファイルを計算に組み込む。電子カムはサーボモータの運動を制御する。第１のニップ（２７）の他に、電子カムは第２のニップ（５１）のサーボモータ（すなわち第３のサーボモータ駆動ローラ（５５））を制御し、第２のサーボリニアモータ（図示せず）は熱ラベルアプリケータ（３９）に動作可能に接続される。
【００４６】
動的に調整可能なヒートアイドラ又は第２のアイドラ
装置（１）は、動的に調整可能なヒートアイドラ（３３）すなわち第２のアイドラ（３３）を構成要素として備える。用語「動的に調整可能なヒートアイドラ」（３３）及び「第２のアイドラ」（３３）は、概して同じ構成要素を指す。用語「動的に調整可能なヒートアイドラ」は、装置（１）が熱によって容器にラベル付けするときの構成要素を指す。用語「第２のアイドラ」は、装置（１）が圧力によって容器にラベル付けしているときの概ね同じ構成要素を指す。第２のアイドラ（３３）は、典型的には、装置（１）が圧力によって容器にラベル付けしているとき、（加熱板（３５）に対して固定された位置にある。
【００４７】
熱によるラベル付けプロセスの間、動的に調整可能なヒートアイドラ（３３）又は単に「ヒートアイドラ」（３３）は、加熱板（３５）の加熱面（３７）に対する熱転写ラベル（３）の接触長を調整する。動的に調整可能なヒートアイドラ（３３）は、第３のローラ（３２）（好ましくは低慣性ローラ）及び第１のリニアサーボリニアモータ（図示せず）を備える。
【００４８】
用語「接触長」は、熱転写ラベル（３）が装置（１）を通り抜けるにつれて加熱板（３５）の加熱面（３７）と接触する熱転写ラベル（３）の直線距離すなわち長さを意味する。この接触長の非限定的な例としては、約０ｃｍ〜約３５ｃｍが挙げられる。
【００４９】
当業者は、約０ｃｍの接触長では、約０ｃｍを超す接触長より少ない熱が熱転写ラベル（３）に伝導されることを容易に理解するであろう。一実施形態では、ラベル付けされる容器のアセンブリラインが停止すると、（加熱板（３５）の）加熱面（３７）から離れる方向に移動するヒートアイドラ（３３）（及びしたがって熱ラベルウェブ（７））によって、接触長は約０ｃｍに調整される。理論に束縛されるものではないが、約０ｃｍの接触長を有することは、不要な熱が熱転写ラベル（３）に伝導されるのを防ぎ、したがって、熱転写ラベル（３）に過度の熱が提供されることに伴う望ましくない結果を防ぐ（又は軽減する）。したがって、装置（１）は熱ラベルのラベル付けプロセスを停止するために、いくつかの前述の装置では利用可能でない場合がある製造プロセスの柔軟性を提供する。この柔軟性は、（例えば、装置が適した速度に達するまでの間の）適正でないラベル容器及び始動時間などによるスクラップのようなスクラップ熱転写ラベルに支払われることになるであろう金銭的及び時間的な節約をもたらすことができる。
【００５０】
更に、接触長（及びしたがって熱転写ラベル（３）に伝導される熱の量）は、操縦者が装置（１）の速度、及びしたがってラベル付けプロセスの速度（及びおそらくはアセンブリラインプロセス全体の速度）を調整することを可能にすることができる。更に、接触長を調整することは、（熱転写ラベル（３）に伝導される熱の制御手段として）例えば、加熱板（３５）の熱を変更する又は加熱板（３５）を冷却するより速く、信頼性が高い。
【００５１】
本発明の一態様では、ヒートアイドラ（３３）は、加熱面（３７）に対するローラ（３２）の直線距離（一実施形態では垂直距離）を変更することによって、サーボリニアモータによってヒートアイドラ（３３）の第３のローラ（３２）からの熱転写ラベル（３）の接触長を調整する。好ましくはリニアサーボモータであるこのサーボモータは、ヒートアイドラ（３３）を好ましくは直線パス（３４）であるパス（３４）を介して移動する。図１で、このパス（３４）は加熱板（３５）の加熱面（３７）に対して垂直である。図１では直線パス（３４）が図示されているが、パスは非線形（例えば、弧又は湾曲など）であってもよく、あるいは線形だが加熱板（３５）の加熱面（３７）に対して垂直でなくてもよい。
【００５２】
一実施形態で、第３のローラ（３２）の表面から加熱板（３５）の加熱面（３７）までパス（３４）に沿って測定される垂直の直線距離（パス（３４）とは無関係に）は、約２００ｃｍである（したがって熱転写ラベル（３）への伝熱を最低限にする）。図２で、ヒートアイドラ（３３）は、加熱面（３７）からの垂直直線距離が最低限になるように、すなわち熱転写ラベル（３）に最大の加熱／熱接触長を提供するように、パス（３４）に位置づけられる。図２で、ヒートアイドラ（２）はパス（３４）に沿って約０ｃｍであり、約３６８ｍｍの熱接触長、すなわち熱転写ラベル（３）と加熱面（３７）とが接触する最大の直線距離を提供する。図示されていないが、ヒートアイドラ（２）がパス（３４）に沿って約１．３ｃｍ移動すると、熱接触長は約１８３ｍｍに低減される。（すなわち０ｃｍである開始位置から）合計約２．５ｃｍ移動すると、熱接触長は約９１ｍｍに低減される。合計約５ｃｍ移動すると、熱接触長は、約０ｍｍすなわちゼロ熱接触長になる。ヒートアイドラ（２）は、熱転写ラベル（３）へ伝えられる熱を最低限にするために最大約１５ｃｍ移動され得る。図３は、ラベル（３）への熱を最低限にするこの位置にあるヒートアイドラ（２）を図示する。
【００５３】
一実施形態では、パス（３４）の距離は、約０．１ｃｍ〜約１００ｃｍ、あるいは約１ｃｍ〜約７５ｃｍ、あるいは約２ｃｍ〜約５０ｃｍ、あるいは約３ｃｍ〜約２５ｃｍ、あるいは約４ｃｍ〜約１５ｃｍ、あるいは約５ｃｍ〜約１０ｃｍ、あるいは約１ｃｍ〜約１０ｃｍ、あるいはこれらの組み合わせである。
【００５４】
別の実施形態では、熱接触長は、約０ｍｍ〜約３，０００ｍｍ、あるいは約０ｍｍ〜約３，０００ｍｍ、あるいは約０ｍｍ〜約１，０００ｍｍ、あるいは約０ｍｍ〜約５００ｍｍ、あるいはこれらの組み合わせである。
【００５５】
前述したように、好ましくはサーボリニアモータであるサーボモータは、好ましくはリニアオース（oath）（３４）であるオース（３４）を介してヒートアイドラ（３３）を移動する。ヒートアイドラ（３３）は、サーボモータによって非常に迅速に、すなわち１秒以内に、パス（３４）に沿って位置づけられ得る。一実施形態では、ヒートアイドラは、約０．１秒〜約１秒でトラック上に再配置される。
【００５６】
更に別の実施形態で、熱接触長を変更するためにヒートアイドラ（３３）のローラ（３２）をパス（３４）に沿って移動する工程は、約０．００１秒〜約１分、あるいは約０．０１秒〜約５秒、あるいは約０．１秒〜約３秒、あるいは約０．５秒〜約２秒、あるいはこれらの組み合わせによって完成される。
【００５７】
理論に束縛されるものではないが、加熱板（３５）から熱転写ラベル（３）に伝導される熱の量は、概して、熱転写ラベル（３）が加熱表面（３７）と接触する熱接触長と直接関係する。換言すると、熱接触長が長いほど、熱転写ラベル（３）に伝導される熱は大きい。
【００５８】
加熱板（３５）の加熱表面（３７）全体は、その長さ（すなわち最長寸法）に沿って完璧に平坦である必要はない。むしろ、加熱表面（３７）は弧状、曲線状、弓状などであってもよく、したがって、パス（３４）の距離（したがってヒートアイドラ（３３））が調整されたとき、接触長は、加熱表面が完璧に平坦である場合より線形に徐々に調整される。一実施形態では、加熱表面（３７）は約２０６ｃｍ、あるいは約１５０ｃｍ〜約２５０ｃｍ、あるいは約１００ｃｍ〜約３００ｃｍの半径で弧を描く。
【００５９】
図１を再び参照すると、ヒートアイドラ（３３）の第３のローラ（３２）は、前述の第１及び第２のローラ（それぞれ１７、２９）と同様である。
【００６０】
ヒートアイドラ（３３）の第１のリニアサーボモータは、ＰＬＣによって接続され、動作される。そのようなモータの非限定的な例としては、Ａｌｌｅｎ  ＢｒａｄｌｅｙのＬＣ−０３０リニアサーボモータが挙げられる。
【００６１】
加熱板
装置（１）は加熱板（３５）を備える。加熱板は、全長約３５ｃｍ（最長寸法であり、装置（１）の上面（２）と平行である）及び高さ約１７ｃｍ（上面（２）に垂直である）を有する。加熱板（３５）は、一定の温度を備える（したがって加熱板から発される熱を本質的に「単一の変数」にする）ことが好ましい。加熱板（３５）の温度設定は、ラベル付けプロセス全体の動作条件に依存することになるが、範囲には約２０℃〜約２６０℃が含まれる。
【００６２】
一実施形態では、（前述のいくつかのプロセス／装置のように）２つ以上の加熱板及び／又は２つ以上の加熱表面及び／又は加熱ゾーンではなく、単一の加熱板が使用される。本発明に従って単一の加熱板（３５）及び単一の加熱表面（３７）（及び単一の加熱ゾーン）を有することはシステムの複雑さを低減し、２つの構成要素のシステムより一定／一貫した温度を可能にし、したがって、より予測可能なラベル付け動作条件を提供する。明確を期すために述べておくが、加熱板（３５）の加熱表面（３７）は、熱ラベル付け動作中に転写ラベル（３）を加熱する表面である。
【００６３】
当業者は、加熱板の冷却及び加熱に時間がかかることを理解するであろう。本発明は、（加熱板（３５）の温度を変更するのでなく）単に熱源に対する熱転写ラベル（３）の距離を調整することによって、加熱板の加熱及び冷却の遅延（例えば、不慮の製造工程停止によって必要となる）によるコスト増を軽減し、ラベル付けプロセスの時間を節約する。
【００６４】
別の実施形態では、熱転写ラベル（３）がラベル付けプロセス中に定期的に接触する加熱表面（３７）、すなわち加熱板（３５）の表面は、表面仕上げインデックスを有する。そのようなインデックスは、当該産業で周知の手段によって測定可能である。別の実施形態では、加熱板（３５）の加熱表面（３７）は、約０．４マイクロメートル（μｍ）〜約１．２μｍ、あるいは約０．６μｍ〜約１μｍの表面仕上げインデックスを有する。一実施形態で、表面インデックスは約０．８μｍである。理論に束縛されるものではないが、平滑な表面は熱転写ラベルに対する潜在的摩擦を低減する。また、摩擦を低減するために表面コーティングを使用してもよい。
【００６５】
アプリケータ
装置（１）は、熱ラベルアプリケータ（３９）を備えるが、このアプリケータは、ラベル付けプロセス中に熱転写ラベル（３）のラベル（図示せず）をラベル付けされる容器（図示せず）に適用するアプリケータローラ（４１）を備える。一実施形態では、図１のように、熱ラベルアプリケータ（３９）と加熱板（３５）とは一体式である。アプリケータローラ（４１）の一例は、Ｇｒａｐｈｉｃ  Ｐａｃｋａｇｉｎｇ  Ｉｎｔｅｒｎａｔｉｏｎａｌ，Ｉｎｃ．（Ｃｉｎｃｉｎｎａｔｉ，ＯＨ）から購入される直径２．８ｃｍ、「Ａ」スケールでのショア硬度２０を有するものである。
【００６６】
第２のリニアサーボモータ（図示せず）は、熱ラベルアプリケータ（３９）（及びしたがってアプリケータローラ（４１）及び加熱板（３５））を、ラベル付けされる容器表面に対して垂直の直線運動で移動して、熱転写ラベル（３）のラベルを容器に適用する。熱ラベルアプリケータ（３９）の移動する直線距離は、容器の外形及びサイクルタイムに依存する。別の実施形態では、加熱板とアプリケータは一体式でなく、すなわち、加熱板は静止しているがアプリケータローラ（３１）は前後（例えば往復）運動によって移動して、熱転写ラベル（３）のラベルを容器に適用する。更に別の実施形態では、熱ラベルアプリケータ（３９）は、ラベル付けされる容器表面に対して垂直でない、例えば弧状又は曲線状のパスのような線形運動で移動する。
【００６７】
熱ラベルアプリケータ（３９）のために、３つのうちの第２の電子カムプロファイルが生成される。この第２の電子カムプロファイルを生成するために前述の変数が計算に組み込まれる。ＰＬＣは、熱ラベルアプリケータ（３９）の電子カムプロファイルを調整して、アプリケータ（３９）又は一体式熱ラベルアプリケータ（３９）／加熱板（３５）を制御する。
【００６８】
容器は、限定はしないがコンベアを含む当該技術分野で既知の手段を介してアプリケータへ、及びアプリケータから、運ばれる。
【００６９】
別の実施形態で、装置は圧力ラベルアプリケータ（図示せず）を備えることができる。非限定的な例としては、米国特許第４５８５５０５号及び同第５３０６３７５号に記述されているものが挙げられる。
【００７０】
第３のアイドラ
装置（１）は、第４のローラ（４５）（好ましくは低慣性ローラ）を好ましくは備える第３のアイドラ（４３）を備えることができる。第３のアイドラ（４３）は、熱ラベルウェブ（７）（すなわち、熱ラベル（図示せず）が取り除かれた熱転写ラベル）をウェブ冷却器（４７）内に案内する。ラベルを容器に適用する熱ラベルアプリケータ（３９）が直線運動で移動するにつれて、第３のアイドラ（４３）はウェブ冷却器（４７）内への熱ラベルウェブ（７）の一定の供給角度を確保する。
【００７１】
第４のローラ（４５）は、前述の第３、第２、及び第１の低慣性ローラ（３２、２９、及び１７）と同様である。
【００７２】
ウェブ冷却器
装置（１）は、ウェブ冷却器（４７）を備えることができる。ウェブ冷却器（４７）は、第３のアイドラ（４３）から案内される熱ラベルウェブ（７）を冷却する機能を果たす。熱ラベルウェブ（７）を冷却することによって、熱ラベルウェブ（７）上に見出され得るろう及び他の成分が装置（１）の設備又は構成要素上に剥がれ落ちることがなくなる（又は、剥がれ落ちる可能性を少なくとも軽減する）。目標は、熱ラベルウェブ（７）を約９５℃未満、好ましくは約８５℃未満に冷却することである。
【００７３】
一実施形態では、ウェブ冷却器（４７）は、熱ラベルが取り付けられた熱ラベルウェブの側面に約１．１３ｍ３／分の速度で約−１０℃の温度の空気を吹き出す冷気ブロワ（図示せず）を有する。
【００７４】
別の実施形態では、ウェブ冷却器（４７）は、熱ラベルウェブ（７）の熱ラベルを備えないもう一方の側面と接触する冷却板（４９）（例えば、アルミニウムを含む）を備える。ウェブ冷却器（４７）としては、ＭｃＭａｓｔｅｒ  Ｃａｒｒ（Ａｔｌａｎｔａ，ＧＡ）の部品番号３１０３５ｋ１８を市販入手可能である。変更時間（すなわち、熱ラベル付けプロセスから圧力ラベル付けプロセスへの変更）を最低限にするために、ウェブ冷却器（４７）は迅速に外せるクランプ又は同様の装置によって装着される。当然、圧力ラベル付けプロセス中、ウェブ冷却器（４７）のスイッチを単に停止してもよい。
【００７５】
第２のニップ
装置（１）は、第５のローラ（５３）（好ましくは低慣性ローラ）及び第３のサーボモータ駆動ローラ（５５）を有する、間に熱ラベルウェブ（７）又は圧力転写ラベルを有する（第１のニップ（２７）と同様の）第２のニップ（５１）を備える。
【００７６】
第５のローラ（５３）は、前述の第１、第２、第３、及び第４の低慣性ローラ（それぞれ１７、２９、３２、４５、５３）と同様である。
【００７７】
第３のサーボモータ駆動ローラ（５５）のサーボモータ（図示せず）は、この第３のサーボモータもＰＬＣ（図示せず）に同様に連結されることにおいて、前述の第１及び第２のサーボモータ駆動ローラ（それぞれ１７，２９）のモータと類似している。ＰＬＣを使用して、第３のサーボモータ駆動ローラ（５５）のサーボモータの速度及び／又はトルクを調整することができる。
【００７８】
第３のサーボモータ駆動ローラ（５５）は、前述のような第２のサーボモータ駆動スピンドル（３３）のハブのようにポリウレタン外側コーティングされたハブを備える。
【００７９】
熱ラベルウェブ（７）は、第５のローラ（３３）と第３のサーボモータ駆動ローラ（５５）のローラとの間を通り抜ける。第１のニップ（２７）と同様に、第５の低慣性ローラ（３３）と第３のサーボモータ駆動ローラ（５５）のスピンドルとの間に熱ラベルウェブ（７）（又は圧力転写ラベル）を「挟む」。エアシリンダ（図示せず）は、第５のローラ（５３）を第３のサーボモータ駆動ローラ（５５）に押し当ててニップ圧を提供する。第３のサーボモータ駆動ローラ（５５）は、固定位置にある。エアシリンダ及びニップの圧力の例は、第１のニップ（２７）で既に説明したとおりである。
【００８０】
第２のニップ（５１）の第３のサーボモータは、（第２のサーボモータと同様であるが、第１のサーボモータとは異なり）ＰＬＣによって「前方に」動作される、すなわち、ラベル付けプロセスにおいて熱ラベルウェブ（７）を前方又は上流へも後方へも動かす。理論に束縛されるものではないが、後方に動作する第３のサーボモータを有することは、第２のニップ（５１）から上流の熱転写ラベル（３）及び熱ラベルウェブ（７）に張力を提供する。
【００８１】
第２のニップは、装置（１）の第３及び最後の電子カムプロファイルである。前述したように、ＰＬＣはこのカム及び他の２つのカム（及び前述の変数）を調整する。
【００８２】
第２の真空ボックス
装置（１）は、第２のニップ（５１）（又は他の上流構成要素）から受け取る熱ラベルウェブ（７）を真空にする第２の真空ボックス（５７）を備えるか、あるいは、第２の真空ボックス（５７）は第２のワインダ（７５）から受け取った圧力転写ラベルを真空にする。
【００８３】
熱ラベル付けプロセス中、第２の真空ボックス（５７）より上流の熱ラベルウェブ（７）は、動的動きにさらされる。第２の真空ボックス（５７）は、上流構成要素／プロセスのこの運動を、下流の熱ラベルウェブ（７）巻き戻し工程（以下に説明する）から切り離す。換言すると、第２の真空ボックス（５７）は、巻き戻しプロセスをインデックスプロセスにせず、一定にすることを可能にする。
【００８４】
典型的な真空範囲は、第１の真空ボックス（１９）に関して先に説明したとおりである。同様に、第２の真空ボックス（５７）もまた第２の後壁（５９）、第３の側壁（６１）、及び第４の側壁（６３）を備えることができ、第３及び第４の側壁（それぞれ６１、６３）は互いにほぼ平行であり、第３及び第４の側壁（６１、６３）は第２の後壁（５９）とほぼ垂直である。第２の真空ボックス（５７）の第２の後壁（５９）もまた、熱ラベルウェブ（７）を（真空モータによって）第２の後壁（５９）の方へ吸引するために、真空ホース（図示せず）が取り付けられる第２の真空開口部（６９）を備えることができる。第２の上壁（２２）及び第２の底壁（２４）は、第２の真空ボックス（５７）内部に熱ラベルウェブ（７）を囲む。
【００８５】
真空モータの寸法／仕様、及び第２の真空ボックス（５７）の壁（５９、６１、６３、６５、６７）は、第１の真空ボックス（１９）に関して先に説明したとおりである。第２の真空ボックス（５７）の熱ラベルウェブ（７）の張力を制御する方法は、第１の真空ボックス（１９）の熱転写ラベルに関しての説明と本質的に同じである。第２の真空ボックス（５７）の熱ラベルウェブ（７）の距離を測定及び報告する方法は、第１の真空ボックス（１９）の熱転写ラベルに関しての説明と本質的に同じである。第２の真空ボックス（５７）における熱ラベルウェブ（７）に対する摩擦を最低限にする方法は、第１の真空ボックス（１９）の熱転写ラベル（３）に関しての説明と本質的に同じである（理想的に低減される）。
【００８６】
第４のアイドラ
装置（１）は、第６のローラ（７３）（好ましくは低慣性ローラ）を好ましくは備える第４のアイドラ（７１）を備えることができる。第４のアイドラ（７１）は、第２の真空ボックス（５７）から出る熱ラベルウェブ（７）を第２のワインダ（７５）へと案内する（以下に説明）。あるいは、第４のアイドラ（７１）は、第２のワインダ（７５）から巻き解かれる圧力転写ラベルを案内する。
【００８７】
第６のローラ（７３）は、前述の第１、第２、第３、第４、及び第５のローラ（それぞれ１７、２９、３２、４５、５３）と同様である。
【００８８】
第２のワインダ
装置（１）は、第２のワインダ（７５）を備えることができる。第２のワインダ（７５）は、熱ラベルウェブ（７）を熱ラベルウェブロール（７７）へと巻き付ける。あるいは、第２のワインダ（７５）は、圧力転写ラベルロール（１０）から圧力転写ラベルを巻き解く。第２のワインダ（７５）は、熱ラベルウェブロール（７７）が機能的に取り付けられた第４のサーボモータ駆動スピンドル（７９）を備える。第２のワインダ（７５）はまた、第４のサーボモータ駆動スピンドル（７９）の第２のスピンドルに接続された第４のサーボモータ（図示せず）を備えることができる。第４のサーボモータは、熱ラベルウェブ（７）が熱ラベルロール（７７）に巻かれる速度を制御するために、熱ラベルウェブ（７）の巻き付けに張力を適用し、それによって、熱ラベル付けプロセスに応じて熱ラベルウェブ（７）の速度を制御する。
【００８９】
（第２のワインダ（７５）の）第４のサーボモータもまた、とりわけラベル付けプロセスの速度を制御するために、装置（１）の構成要素に沿った様々な点からのデータをコーディネートするＰＬＣに連結することができる。第４のサーボモータの速度及び／又はトルクを調整することによって、熱ラベルウェブロール（７７）の増加する直径をラベル付けプロセスで考慮する必要がある場合がある。ＰＬＣを使用して、この速度及び／又はトルクを調整するこができる。
【００９０】
ラベル付けの速度
一実施形態では、装置は毎分約１個〜約３５０個の容器、あるいは毎分約５０個〜約１５０個の容器、あるいは毎分約１５０個〜約３５０個の容器、あるいは毎分約２５０個〜約３００個の容器にラベル付けする。あるいは装置は毎分約１００個を超す速度で、あるいは毎分１５０個を超す速度で、あるいは毎分２００個を超す速度で、あるいは毎分２５０個を超す速度で、あるいは毎分３００個を超す速度で、容器にラベル付けする。更に別の実施形態で、装置は一定の速度で容器にラベル付けする、及び／又は停止せずに、又は場合によってはラベル付けプロセスを実質的に停止せずに、容器のラベル付け速度を遅くする。
【００９１】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００９２】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００９３】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
0005539500.tif 000002
【図２】
0005539500.tif 000003
【図３】
0005539500.tif 000004